(57)【要約】【目的】位置依存情報をユーザーの携帯端末に配信するシステムにおいて、特定地域区画内の多数の位置依存情報が存在する場合をこの位置依存情報をユーザーの携帯端末に効率的に配信することを目的とする。【構成】位置依存情報データベースに蓄積された情報を配信するシステムにおいて無線携帯端末に基地局から無線携帯端末が存在する該当地域区画内の位置依存情報のインデックス情報を配信し、ユーザーがそのインデックス情報をもとに位置依存情報を要求した際に該当地域区画内の多数の位置依存情報から乱数を発生させて無線端末に少数の位置依存情報を配信する。【選択図】　図１
2004062314.tif 000002
【特許請求の範囲】
【請求項１】
配信に関する位置制約と関連づけられた情報（位置依存情報）を配信先となるユーザー携帯端末の位置に応じて配信するシステムにおいて
Ａ：少なくとも前記位置依存情報の位置制約情報と前記位置依存情報を特定する識別子を含むインデックス情報をユーザー携帯端末に配信するインデックス情報配信手段
Ｂ：前記ユーザー携帯端末の位置を特定する位置特定手段
Ｃ：前記特定された位置が前記位置制約を満たすかどうか判別する判別手段
Ｄ：前記位置制約条件を満たすと判別されたインデックス情報をユーザー端末に配信するインデックス情報配信手段
Ｅ：前記インデックス情報の識別子により前記位置依存情報をユーザー端末より送信し前記識別子に対応する該当位置依存情報にアクセスするアクセス手段
Ｆ：前記アクセスにより乱数を発生させ前記発生した乱数により前記該当位置依存情報の中から特定の１以上の位置依存情報もしくは位置依存情報グループを選択する乱数特定位置依存情報決定手段
Ｇ：前記特定位置依存情報をユーザー端末に配信する位置依存情報配信手段
を構成要素として含むことを特徴とする情報配信システム。
【請求項２】
前記位置依存情報データベースは現実の地理的位置に対応させて区分されたデータ領域を備え、前記位置の制約に対応するデータ領域に前記位置依存情報を格納することを特徴とする特許請求範囲第１項記載の情報配信システム。
【請求項３】
前記乱数は位置依存情報の位置により確立変動することを特徴とする特許請求範囲第１項記載の情報配信システム。
【請求項４】
前記インデックス情報は前記位置依存情報より抽出されることを特徴とする特許請求範囲第１項記載の情報配信システム。
【請求項５】
前記配信される位置依存情報は画像情報、テキスト情報、音声情報から選ばれる少なくとも１つであることを特徴とする特許請求範囲第１項記載の情報配信システム。
【請求項６】
前記配信された位置依存情報グループは端末においてユーザーが前記グループ内の情報の選択が可能な選択手段を有し、前記選択手段により選択された位置依存情報を取得可能なことを特徴とする特許請求範囲第１項記載の情報配信システム。
【請求項７】
ユーザー端末よりインデックス情報要求可能なインデックス情報要求手段を有し、前記インデックス情報は前記インデックス情報要求手段により配信されることを特徴とする特許請求範囲第１項記載の情報配信システム。
【請求項８】
前記位置依存情報は、さらに配信先の嗜好属性に関する制約もしくは配信の時間に関する制約もしくはその両者と関連づけられ、前記判別手段は、前記配信先の嗜好属性に関する制約もしくは前記配信の時間に関する制約を満たすかどうかをさらに判定することを特徴とする特許請求範囲第７　項記載の情報配信システム。
【請求項９】
前記配信先の嗜好属性を入力する嗜好入力手段を備え、前記判別手段はさらに前記入力された嗜好属性を判定することを特徴とする特許請求範囲第８項記載の情報配信システム。
【請求項１０】
前記嗜好入力手段はユーザー端末に設けられた嗜好入力手段により入力され前記嗜好はユーザー端末より送信されることを特徴とする特許請求範囲第９項記載の位置依存情報配信手段。
【請求項１１】
前記嗜好はそれぞれの嗜好によりサイトが設けられており前記嗜好入力手段はサイトを選択するサイト選択手段であることを特徴とする特許請求範囲第１０項記載の位置依存情報配信手段。
【請求項１２】
前記入力された嗜好属性を前記携帯端末のユーザと関連づけて格納するユーザデータベースを備え、前記判定は該ユーザデータベースに格納された嗜好属性を参照して行われることを特徴とする特許請求範囲第９　項記載の配信システム。
【請求項１３】
はユーザー端末が該当地理的位置にあるかどうか判定する判別手段を備え前記ユーザー端末が該当位置にある場合に前記インデックス情報を配信するインデックス情報配信手段を有することを特徴とする特許請求範囲第１項記載の情報配信システム。
【請求項１４】
前記位置依存情報は、さらに配信先の嗜好属性に関する制約もしくは配信の時間に関する制約もしくはその両者と関連づけられ、前記判別手段は、前記配信先の嗜好属性に関する制約もしくは前記配信の時間に関する制約を満たすかどうかをさらに判定することを特徴とする特許請求範囲第１３項記載の情報配信システム。
【請求項１５】
前記配信先の嗜好属性を入力する嗜好入力手段を備え、前記判別手段はさらに前記入力された嗜好属性を判定することを特徴とする特許請求範囲第１４項記載の情報配信システム。
【請求項１６】
前記入力された嗜好属性を前記携帯端末のユーザと関連づけて格納するユーザデータベースを備え、前記判定は該ユーザデータベースに格納された嗜好属性を参照して行われることを特徴とする特許請求範囲第１５　項記載の配信システム。
【請求項１７】
配信に関する位置制約と関連づけられた情報（位置依存情報）を配信先となるユーザー携帯端末の位置に応じて配信するシステムにおいて
Ａ：ユーザー端末に少なくとも前記位置依存情報の位置制約情報と前記位置依存情報を特定する識別子を含むインデックス情報を要求するインデックス情報要求手段
Ｂ：前記ユーザー携帯端末の位置を特定する位置特定手段
Ｃ：前記インデックス情報要求手段および前記特定された位置に基づいて前記位置依存情報のインデックス情報にアクセスするインデックス情報アクセス手段
Ｄ：前記アクセスにより乱数を発生させ前記発生した乱数により前記該当位置依存情報に関するインデックス情報の中から特定の１以上の位置依存インデックス情報もしくは位置依存インデックス情報グループを選択する乱数特定位置依存インデックス情報決定手段
Ｅ：前記インデックス情報をユーザー端末に配信するインデックス情報配信手段Ｆ：前記インデックス情報の識別子により前記位置依存情報をユーザー端末より送信し前記識別子に対応する該当位置依存情報を配信する位置依存情報配信手段を構成要素として含むことを特徴とする情報配信システム。
【請求項１８】
前記位置依存情報データベースは現実の地理的位置に対応させて区分されたデータ領域を備え、前記位置の制約に対応するデータ領域に前記位置依存情報を格納することを特徴とする特許請求範囲第１７項記載の情報配信システム。
【請求項１９】
前記乱数は位置依存情報の位置により確立変動することを特徴とする特許請求範囲第１７項記載の情報配信システム。
【請求項２０】
前記インデックス情報は前記位置依存情報より抽出されることを特徴とする特許請求範囲第１７項記載の情報配信システム。
【請求項２１】
前記配信される位置依存情報は画像情報、テキスト情報、音声情報から選ばれる少なくとも１つであることを特徴とする特許請求範囲第１７項記載の情報配信システム。
【請求項２２】
前記配信された位置依存インデックス情報グループは端末においてユーザーが前記グループ内のインデックス情報の選択が可能な選択手段を有し、前記選択手段により選択されたインデックス情報に基づき位置依存情報を取得可能なことを特徴とする特許請求範囲第１７項記載の情報配信システム。
【請求項２３】
前記インデックス情報は、さらに配信先の嗜好属性に関する制約もしくは配信の時間に関する制約もしくはその両者と関連づけられ、前記判別手段は、前記配信先の嗜好属性に関する制約もしくは前記配信の時間に関する制約を満たすかどうかをさらに判定することを特徴とする特許請求範囲第１７項記載の情報配信システム。
【請求項２４】
前記配信先の嗜好属性を入力する嗜好入力手段を備え、前記判別手段はさらに前記入力された嗜好属性を判定することを特徴とする特許請求範囲第２３項記載の情報配信システム。
【請求項２５】
前記嗜好入力手段はユーザー端末に設けられた嗜好入力手段により入力され前記嗜好はユーザー端末より送信されることを特徴とする特許請求範囲第２４項記載の位置依存情報配信手段。
【請求項２６】
前記嗜好はそれぞれの嗜好によりサイトが設けられており前記嗜好入力手段はサイトを選択するサイト選択手段であることを特徴とする特許請求範囲第２５項記載の位置依存情報配信手段。
【請求項２７】
前記入力された嗜好属性を前記携帯端末のユーザと関連づけて格納するユーザデータベースを備え、前記判定は該ユーザデータベースに格納された嗜好属性を参照して行われることを特徴とする特許請求範囲第２４　項記載の配信システム。
【請求項２８】
配信に関する位置制約と関連づけられた情報（位置依存情報）を配信先となるユーザー携帯端末の位置に応じて配信するシステムにおいて
Ａ：ユーザー携帯端末が該当地理的位置に存在しているかどうか判定するユーザー携帯端末が該当地理的位置判別手段
Ｂ：前記ユーザー携帯端末が該当地理的位置判別手段により存在している場合に前記ユーザー端末の位置に応じて前記位置依存情報の位置制約情報と前記位置依存情報を特定する識別子を含むインデックス情報にアクセスするアクセス手段
Ｃ：前記アクセスにより乱数を発生させ前記発生した乱数により前記該当位置依存情報に関するインデックス情報の中から特定の１以上の位置依存インデックス情報もしくは位置依存インデックス情報グループを選択する乱数特定位置依存インデックス情報決定手段
Ｄ：前記インデックス情報をユーザー端末に配信するインデックス情報配信手段え：前記インデックス情報の識別子により前記位置依存情報をユーザー端末より送信し前記識別子に対応する該当位置依存情報を配信する位置依存情報配信手段を構成要素として含むことを特徴とする情報配信システム。
【請求項２９】
前記位置依存情報データベースは現実の地理的位置に対応させて区分されたデータ領域を備え、前記位置の制約に対応するデータ領域に前記位置依存情報を格納することを特徴とする特許請求範囲第２８項記載の情報配信システム。
【請求項３０】
前記乱数は位置依存情報の位置により確立変動することを特徴とする特許請求範囲第２８項記載の情報配信システム。
【請求項３１】
前記インデックス情報は前記位置依存情報より抽出されることを特徴とする特許請求範囲第２８項記載の情報配信システム。
【請求項３２】
前記配信される位置依存情報は画像情報、テキスト情報、音声情報から選ばれる少なくとも１つであることを特徴とする特許請求範囲第２８項記載の情報配信システム。
【請求項３３】
前記配信された位置依存インデックス情報グループは端末においてユーザーが前記グループ内のインデックス情報の選択が可能な選択手段を有し、前記選択手段により選択されたインデックス情報に基づき位置依存情報を取得可能なことを特徴とする特許請求範囲第２８項記載の情報配信システム。
【請求項３４】
前記位置依存情報は、さらに配信先の嗜好属性に関する制約もしくは配信の時間に関する制約もしくはその両者と関連づけられ、前記判別手段は、前記配信先の嗜好属性に関する制約もしくは前記配信の時間に関する制約を満たすかどうかをさらに判定することを特徴とする特許請求範囲第２８項記載の情報配信システム。
【請求項３５】
前記配信先の嗜好属性を入力する嗜好入力手段を備え、前記判別手段はさらに前記入力された嗜好属性を判定することを特徴とする特許請求範囲第３４項記載の情報配信システム。
【請求項３６】
前記入力された嗜好属性を前記携帯端末のユーザと関連づけて格納するユーザデータベースを備え、前記判定は該ユーザデータベースに格納された嗜好属性を参照して行われることを特徴とする特許請求範囲第３５項記載の配信システム。
【発明の詳細な説明】
【０００１】
【産業上の利用分野】
本発明は無線を使った携帯端末への位置依存情報の配信に関する。
【０００２】
【従来の技術】
従来携帯電話（ブラウザフォン）等における位置依存情報の配信は特定の場所に行くと、その場所に関連する情報を画一的に配信しているのみであった。各場所において異なった確率でおみくじのように異なった情報を取得するとユーザーにとって非常に面白い位置依存情報の配信方法となるはずである。
【０００３】
【発明が解決しようとする課題】
前述のように地域に関する限定情報を場所によって異なった確率で画像情報や各種テキスト情報、音楽や人の声となどの音声情報を携帯端末で取得で着るシステムが待ち望まれていた。特にレア情報が入っている場合地域によってその確率がかわれば非常におもしろい情報配信のアプリケーションとなる。
【０００４】
【課題を解決するための手段】
前述の課題を解決するために本発明者らは鋭意研究の結果以下の手段をとった。すなわち配信に関する位置制約と関連づけられた情報（位置依存情報）を配信先となるユーザー携帯端末の位置に応じて配信するシステムにおいて
Ａ：少なくとも前述の位置依存情報の位置制約情報と前述の位置依存情報を特定する識別子を含むインデックス情報をユーザー携帯端末に配信するインデックス情報配信手段
Ｂ：前述のユーザー携帯端末の位置を特定する位置特定手段
Ｃ：前述の特定された位置が前述の位置制約を満たすかどうか判別する判別手段
Ｄ：前述の位置制約条件を満たすと判別されたインデックス情報をユーザー端末に配信するインデックス情報配信手段
Ｅ：前述のインデックス情報の識別子により前述の位置依存情報をユーザー端末より送信し前述の識別子に対応する該当位置依存情報にアクセスするアクセス手段
Ｆ：前述のアクセスにより乱数を発生させ前述の発生した乱数により前述の該当位置依存情報の中から特定の１以上の位置依存情報もしくは位置依存情報グループを選択する乱数特定位置依存情報決定手段
Ｇ：前述の特定位置依存情報をユーザー端末に配信する位置依存情報配信手段
を構成要素として含む構成を採用した。
【０００５】
ここで前述の位置依存情報データベースは現実の地理的位置に対応させて区分されたデータ領域を備え、前述の位置の制約に対応するデータ領域に前述の位置依存情報を格納するようにすればよい。また前述の乱数は位置依存情報の位置により確立変動するようにしておけば現実の地理的位置に応じて異なった確率で出現が可能となる。前述のインデックス情報は前述の位置依存情報より抽出されるようにしておけばよい。そして前述の配信される位置依存情報は画像情報、テキスト情報、音声情報から選ばれる少なくとも１つであればよい。
【０００６】
前述の配信された位置依存情報グループは端末においてユーザーが前述のグループ内情報の選択が可能な選択手段を有し、ユーザーがこの選択手段によりし、選択された位置依存情報を取得可能とすればよい。ユーザーはグループ内の複数の情報から選択することによりさらに選択の楽しみが味わえる。
【０００７】
以上の場合ユーザーのインデックス取得方法は２つあるがそのうちのプルについて説明する。ユーザー端末よりインデックス情報要求可能なインデックス情報要求手段を有し、前述のインデックス情報は前述のインデックス情報要求手段により配信されるようにすればよい。前述の位置依存情報は、さらに配信先の嗜好属性に関する制約もしくは配信の時間に関する制約もしくはその両者と関連づけられ、前述の判別手段は、前述の配信先の嗜好属性に関する制約もしくは前述の配信の時間に関する制約を満たすかどうかをさらに判定するようにすればよい。
【０００８】
さらに配信先の嗜好属性を入力する嗜好入力手段を備え、前述の判別手段は前述の入力された嗜好属性を判定することによりおこなえばよい。前述の嗜好入力手段はユーザー端末に設けられた嗜好入力手段により入力され前述の嗜好はユーザー端末より送信するようにすればよい。そして前述の嗜好はそれぞれの嗜好によりサイトが設けられており前述の嗜好入力手段はサイトを選択するサイト選択手段であればよい。こうすれば嗜好別にサイトを設けておけばユーザーの嗜好に合ったサイトを選択すればよい。
【０００９】
あるいは前述の入力された嗜好属性を前述の携帯端末のユーザと関連づけて格納するユーザデータベースを備え、前述の判定は該ユーザデータベースに格納された嗜好属性を参照して行われるようにしてもよい。
【００１０】
前述の場合はインデックス配信がプルの場合であったがプッシュにつても説明する。ユーザー端末が該当地理的位置にあるかどうか判定する判別手段を備え前述のユーザー端末が該当位置にある場合に前述のインデックス情報を配信するインデックス情報配信手段を設けておけばよい。
【００１１】
前述の位置依存情報は、さらに配信先の嗜好属性に関する制約もしくは配信の時間に関する制約もしくはその両者と関連づけられ、前述の判別手段は、前述の配信先の嗜好属性に関する制約もしくは前述の配信の時間に関する制約を満たすかどうかをさらに判定するようにすればよい。そして前述の配信先の嗜好属性を入力する嗜好入力手段を備え、前述の判別手段はさらに前述の入力された嗜好属性を判定すればよく、前述の入力された嗜好属性を前述の携帯端末のユーザーと関連づけて格納するユーザデータベースを備え、前述の判定は該ユーザデータベースに格納された嗜好属性を参照して行えばよい。
【００１２】
以上の場合は位置依存情報を取得するときに乱数を発生しているが、他の場合についてすなわちインデックスを配信する際に乱数を発生する場合について説明する。配信に関する位置制約と関連づけられた情報（位置依存情報）を配信先となるユーザー携帯端末の位置に応じて配信するシステムにおいて
Ａ：ユーザー端末に少なくとも前述の位置依存情報の位置制約情報と前述の位置依存情報を特定する識別子を含むインデックス情報を要求するインデックス情報要求手段
Ｂ：前述のユーザー携帯端末の位置を特定する位置特定手段
Ｃ：前述のインデックス情報要求手段および前述の特定された位置に基づいて前述の位置依存情報のインデックス情報にアクセスするインデックス情報アクセス手段
Ｄ：前述のアクセスにより乱数を発生させ前述の発生した乱数により前述の該当位置依存情報に関するインデックス情報の中から特定の１以上の位置依存インデックス情報もしくは位置依存インデックス情報グループを選択する乱数特定位置依存インデックス情報決定手段
Ｅ：前述のインデックス情報をユーザー端末に配信するインデックス情報配信手段
Ｆ：前述のインデックス情報の識別子により前述の位置依存情報をユーザー端末より送信し前述の識別子に対応する該当位置依存情報を配信する位置依存情報配信手段
を構成要素として含むようにすればよい。
【００１３】
そして前述の位置依存情報データベースは現実の地理的位置に対応させて区分されたデータ領域を備え、前述の位置の制約に対応するデータ領域に前述の位置依存情報を格納するようにすればよく、さらに前述の乱数は位置依存情報の位置により確立変動するようにすればよい。また前述のインデックス情報は前述の位置依存情報より抽出されるようにすればよい。前述の配信される位置依存情報は画像情報、テキスト情報、音声情報から選ばれる少なくとも１つであればよい。
【００１４】
前述の配信された位置依存インデックス情報グループは端末においてユーザーが前述のグループ内のインデックス情報の選択が可能な選択手段を有し、前述の選択手段により選択されたインデックス情報に基づき位置依存情報を取得可能とすればよい。前述のインデックス情報は、さらに配信先の嗜好属性に関する制約もしくは配信の時間に関する制約もしくはその両者と関連づけられ、前述の判別手段は、前述の配信先の嗜好属性に関する制約もしくは前述の配信の時間に関する制約を満たすかどうかをさらに判定するようにすればよい。前述の配信先の嗜好属性を入力する嗜好入力手段を備え、前述の判別手段はさらに前述の入力された嗜好属性を判定するようにすればよい。
【００１５】
前述の嗜好入力手段はユーザー端末に設けられた嗜好入力手段により入力され前述の嗜好はユーザー端末より送信すればよく、前述の嗜好はそれぞれの嗜好によりサイトが設けられており前述の嗜好入力手段はサイトを選択するサイト選択手段であればよい。そして前述の入力された嗜好属性を前述の携帯端末のユーザーと関連づけて格納するユーザデータベースを備え、前述の判定は該ユーザデータベースに格納された嗜好属性を参照して行えばよい。
【００１６】
以上の場合はプルでインデックス情報配信時に乱数を発生させる方法であるが他の場合すなわちプッシュでインデックス配信時に乱数を発生場合について説明する。配信に関する位置制約と関連づけられた情報（位置依存情報）を配信先となるユーザー携帯端末の位置に応じて配信するシステムにおいて
Ａ：ユーザー携帯端末が該当地理的位置に存在しているかどうか判定するユーザー携帯端末が該当地理的位置判別手段
Ｂ：前述のユーザー携帯端末が該当地理的位置判別手段により存在している場合に前述のユーザー端末の位置に応じて前述の位置依存情報の位置制約情報と前述の位置依存情報を特定する識別子を含むインデックス情報にアクセスするアクセス手段
Ｃ：前述のアクセスにより乱数を発生させ前述の発生した乱数により前述の該当位置依存情報に関するインデックス情報の中から特定の１以上の位置依存インデックス情報もしくは位置依存インデックス情報グループを選択する乱数特定位置依存インデックス情報決定手段
Ｄ：前述のインデックス情報をユーザー端末に配信するインデックス情報配信手段
え：前述のインデックス情報の識別子により前述の位置依存情報をユーザー端末より送信し前述の識別子に対応する該当位置依存情報を配信する位置依存情報配信手段
を構成要素として含むようにすればよい。
【００１７】
前述の位置依存情報データベースは現実の地理的位置に対応させて区分されたデータ領域を備え、前述の位置の制約に対応するデータ領域に前述の位置依存情報を格納するようにすればよい。前述の乱数は位置依存情報の位置により確立変動するようにすればよい。前述のインデックス情報は前述の位置依存情報より抽出するようにすればよい。前述の配信される位置依存情報は画像情報、テキスト情報、音声情報から選ばれる少なくとも１つであればよい。
【００１８】
前述の配信された位置依存インデックス情報グループは端末においてユーザーが前述のグループ内インデックス情報の選択が可能な選択手段を有し、前述の選択手段により選択されたインデックス情報に基づき位置依存情報を取得可能としておけばよい。
【００１９】
前述の位置依存情報は、さらに配信先の嗜好属性に関する制約もしくは配信の時間に関する制約もしくはその両者と関連づけられ、前述の判別手段は、前述の配信先の嗜好属性に関する制約もしくは前述の配信の時間に関する制約を満たすかどうかをさらに判定するようにしておけばよい。前述の配信先の嗜好属性を入力する嗜好入力手段を備え、前述の判別手段はさらに前述の入力された嗜好属性を判定するようにすればよい。前述の入力された嗜好属性を前述の携帯端末のユーザーと関連づけて格納するユーザデータベースを備え、前述の判定は該ユーザデータベースに格納された嗜好属性を参照して行えばよい。
【００２０】
【実施の様態】
以下実際の例を基にさらに詳しく説明していく。図１は第１の実施例であり位置依存情報を配信する際の概略構成図でありここではユーザー端末からインデックス要求を行うプル方式の例である。１０１は携帯端末であり、１０２は携帯端末の基地局１０３は位置依存情報の格納されているサイトグループである。ここで地域別インデックス情報は位置依存情報から抽出して地域別に整理格納している。このインデックス情報は位置制約情報、位置依存情報を特定する識別子、該当位置依存情報の表題を含んでおり、地域別に格納されている。
【００２１】
フローは図２に示したが、まず１０１の携帯端末の位置を取得する。この端末位置の取得方法はＧＰＳシステム、携帯端末の基地局と携帯端末の通信状態を解析する方法、あるいはその両者を組み合わせたものであればよい。そして取得した位置情報と共に１０３にアクセスしユーザーの嗜好に合致したサイト選択を行い、インデックスの要求を行うが、その時の画面の様子を図３に示した。この要求（位置情報、嗜好）に基づいてサイト内で該当インデックスの検索を行いそのインデックスをユーザーの携帯端末に配信する。
【００２２】
次にユーザー端末にインデックスを表示し、ユーザーのインデックス選択を促す。このユーザーのインデックス選択により前述の位置依存情報を特定する識別子により位置依存情報ＤＢにアクセスし、乱数を発生させてその乱数に対応する位置限定を抽出する。このとき位置（地区）により確率が変動する場合があるが、その時の例を図４に示した。すなわち乱数は０〜１間の数値で発生するがＡ地区、Ｂ地区、Ｃ地区によってそれぞれの位置依存情報（ここでは歌手ａ、ｂ、ｃの画像）の出現確率はことなる。さらに位置依存情報に時間制約のある場合もあるが、その時のＡ地区における位置依存情報（ここでは歌手ａ、ｂ、ｃの画像）の出現時間の例を図５に示した。乱数および各種制約条件の結果歌手ｂの画像が選択されこの画像がユーザーの携帯端末に配信され表示されるが、その様子は図６に示した。
【００２３】
以上の例はインデックス選択に対してユーザーの携帯端への位置依存情報の配信が１つの場合であるが、複数の場合もある。その時のフローを図７に示した。前半部は前述の実施例と同様であるが、ユーザーの携帯端末への位置依存情報の配信が複数（グループ）である場合そのグループを携帯端末に配信し、その中から選択すればよい。その時位置依存情報のグループ配信されて携帯端末に表示した例を図８に示すが、この画面からユーザーがＢを選択しこのＢに対応する歌手ｅが選ばれ最終的に図９に示すように歌手ｅが表示される。
【００２４】
以上の例はインデックス情報配信がプルの例であるが、他の場合すなわちインデックス情報がプッシュの場合について説明する。図１０は第３の実施例であり位置依存情報を配信する際の概略構成図でありここではユーザー端末からインデックス要求を行うプッシュ方式の例である。１００１は携帯端末であり、１００２は携帯端末の基地局１００３は位置依存情報の格納されているサイトグループで、１００４は通信キャリアが各ユーザーの端末の位置を把握している。ここで１００３内の地域別インデックス情報は位置依存情報から抽出して地域別に整理格納している。このインデックス情報は位置制約情報、位置依存情報を特定する識別子、該当位置依存情報の表題を含んでおり、地域別に格納されている。さらにユーザーＤＢはユーザーの嗜好データ等が格納されている。
【００２５】
フローは図１１に示したが、まず１００１の携帯端末の位置をキャリアのロケーションサーバーにアクセスし該当ユーザー端末が該当地域内にあるかどうか判定しユーザー端末が該当地域内にある場合に１００３のユーザーＤＢにアクセスし該当ユーザー嗜好情報を取得する。キャリアのロケーションサーバーで把握される端末位置の取得方法はＧＰＳシステム、携帯端末の基地局と携帯端末の通信状態を解析する方法、あるいはその両者を組み合わせたものであればよい。そしてこの位置と嗜好情報に基づいてインデックス情報を検索し１００２の基地局よりユーザーの携帯端末１００１にプッシュ配信を行う。ユーザーの嗜好については予めサイトのユーザーＤＢに登録しておく。
【００２６】
次にユーザー端末にインデックスを表示し、ユーザーのインデックス選択を促す。このユーザーのインデックス選択により前述の位置依存情報を特定する識別子により位置依存情報ＤＢにアクセスし、乱数を発生させてその乱数に対応する位置限定を抽出する。このとき位置（地区）により確率が変動する場合があるが、その時の例を図１２に示した。すなわち乱数は０〜１間の数値で発生するがＡ地区、Ｂ地区、Ｃ地区によってそれぞれの位置依存情報（ここでは歌手ａ、ｂ、ｃの画像）の出現確率はことなる。さらに位置依存情報に時間制約のある場合もあるが、その時のＡ地区における位置依存情報（ここでは歌手ａ、ｂ、ｃの画像）の出現時間の例を図１３に示した。乱数および各種制約条件の結果歌手ｂの画像が選択されこの画像がユーザーの携帯端末に配信され表示されるが、その様子は図１４に示した。
【００２７】
以上の例は位置依存情報取得時に乱数を発生させ位置依存情報を確定させていたが、これ以外の方法について説明する。すなわちユーザーがインデックス取得を要望した時に乱数を発生させる方法について説明していく。図１５は第４の実施例であり位置依存情報を配信する際の概略構成図でありここではユーザー端末からインデックス要求を行うプル方式の例である。１５０１は携帯端末であり、１５０２は携帯端末の基地局１５０３は位置依存情報の格納されているサイトグループである。ここで地域別インデックス情報は位置依存情報から抽出して地域別に整理格納している。このインデックス情報は位置制約情報、位置依存情報を特定する識別子、該当位置依存情報の表題を含んでおり、地域別に格納されている。
【００２８】
フローは図１６に示したが、まず１５０１の携帯端末の位置を取得する。この端末位置の取得方法はＧＰＳシステム、携帯端末の基地局と携帯端末の通信状態を解析する方法、あるいはその両者を組み合わせたものであればよい。そして取得した位置情報と共に１５０３にアクセスしユーザーの嗜好に合致したサイト選択を行い、インデックスの要求を行うが、その時の画面の様子を図１７に示した。この要求（位置情報、嗜好）に基づいてサイト内の地域別インデックスＤＢサイトにアクセスし、さらに乱数を発生させてその乱数に対応するインデックス情報を抽出する。このとき位置（地区）により確率が変動する場合があるが、その時の例を図１８に示した。すなわち乱数は０〜１間の数値で発生するがＡ地区、Ｂ地区、Ｃ地区によってそれぞれのインデックス情報の出現確率はことなる。さらに位置依存情報に時間制約のある場合もあるが、その時のＡ地区のインデックス情報の出現時間の例を図１９に示した。乱数および各種制約条件から検索したインデックス情報がユーザーの携帯端末に配信され表示されるがその様子を図２０に示すが、この画面でユーザーのインデックス選択を促す。そしてユーザーのインデックス選択により対応する位置依存情報を特定する識別子により位置依存情報ＤＢにアクセスし、選択され画像がユーザーの携帯端末に配信され表示されるが、その様子は図２１に示した。
【００２９】
以上の例はインデックスグループが１つの場合の例であるがインデックスグループが複数ある場合のについて説明する。その時のフローを図１１に示した。後半部は前述の実施例と同様であるが、ユーザーの携帯端末へのインデックスグループの配信が複数である場合そのインデックスグループを携帯端末に配信し、その中から選択すればよい。その時インデックスグループのグループ配信をし、携帯端末に表示した例を図２３に示すが、この画面からユーザーがＢを選択しこのＢに対応するインデックスが図２４に示すように表示されユーザーが歌手ｄを選択すると最終的に図９に示すように歌手ｄが表示される。
【００３０】
以上の例はインデックス情報配信がプルの例であるが、他の場合すなわちインデックス情報がプッシュの場合について説明する。図２６は第６の実施例であり位置依存情報を配信する際の概略構成図でありここではユーザー端末からインデックス要求を行うプッシュ方式の例である。２６０１は携帯端末であり、２６０２は携帯端末の基地局２６０３は位置依存情報の格納されているサイトグループで、２６０４は通信キャリアが各ユーザーの端末の位置を把握している。ここで２６０３内の地域別インデックス情報は位置依存情報から抽出して地域別に整理格納している。このインデックス情報は位置制約情報、位置依存情報を特定する識別子、該当位置依存情報の表題を含んでおり、地域別に格納されている。さらにユーザーＤＢはユーザーの嗜好データ等が格納されている。
【００３１】
図２７にプッシュの場合のフローを示す。まず２６０１の携帯端末の位置をキャリアのロケーションサーバーにアクセスし該当ユーザー端末が該当地域内にあるかどうか判定しユーザー端末が該当地域内にある場合に２６０３のユーザーＤＢにアクセスし該当ユーザー嗜好情報を取得する。キャリアのロケーションサーバーで把握される端末位置の取得方法はＧＰＳシステム、携帯端末の基地局と携帯端末の通信状態を解析する方法、あるいはその両者を組み合わせたものであればよい。そしてこの位置と嗜好情報に基づいて該当地域のインデックス情報にアクセスすし、さらに乱数を発生させてその乱数に対応するインデックス情報を抽出する。このとき位置（地区）により確率が変動する場合があるが、その時の例を図２８に示した。
【００３２】
すなわち乱数は０〜１間の数値で発生するがＡ地区、Ｂ地区、Ｃ地区によってそれぞれのインデックス情報の出現確率はことなる。さらに位置依存情報に時間制約のある場合もあるが、その時のＡ地区のインデックス情報の出現時間の例を図２９に示した。乱数および各種制約条件から検索したインデックス情報がユーザーの携帯端末に配信され表示されるがその様子を図３０に示すが、この画面でユーザーのインデックス選択を促す。そしてユーザーのインデックス選択により対応する位置依存情報を特定する識別子により位置依存情報ＤＢにアクセスし、選択され画像がユーザーの携帯端末に配信され表示されるが、その様子は図３１に示した。
【００３３】
【発明の効果】
以上述べたよう本発明によれば位置依存情報をユーザーの携帯端末に配信するシステムにおいて、特定地域区画内の多数の位置依存情報が存在する場合膨大な情報から複雑な手順を経ることなく情報を配信することが可能となる。
【図面の簡単な説明】
【図１】実施例１のシステム構成
【図２】実施例１のフロー
【図３】携帯端末の画像例（サイト選択）
【図４】地区別確率変動例
【図５】Ａ地区コンテンツ表示時間テーブル
【図６】歌手ｂの画像表示例
【図７】実施例２のフロー
【図８】携帯端末の画像例（選択画面）
【図９】歌手Ｃの画像表示例
【図１０】実施例３のシステム構成
【図１１】実施例３のフロー
【図１２】地区別確率変動例
【図１３】Ａ地区コンテンツ表示時間テーブル
【図１４】歌手ｂの画像表示例
【図１５】実施例４のシステム構成
【図１６】実施例４のフロー
【図１７】携帯端末の画像例（サイト選択）
【図１８】地区別確率変動例
【図１９】Ａ地区コンテンツ表示時間テーブル
【図２０】携帯端末の画像例（選択画面）
【図２１】歌手ｄの画像表示例
【図２２】実施例５のフロー
【図２３】携帯端末の画像例（インデックスグループ選択画面）
【図２４】携帯端末の画像例（インデックス表示画面）
【図２５】歌手ｄの画像表示例
【図２６】実施例６のシステム構成
【図２７】実施例６のフロー
【図２８】地区別確率変動例
【図２９】Ａ地区コンテンツ表示時間テーブル
【図３０】携帯端末の画像例（インデックス表示画面）
【図３１】歌手ｂの画像表示例
【図１】
2004062314.tif 000003
【図２】
2004062314.tif 000004
【図３】
2004062314.tif 000005
【図４】
2004062314.tif 000006
【図５】
2004062314.tif 000007
【図６】
2004062314.tif 000008
【図７】
2004062314.tif 000009
【図８】
2004062314.tif 000010
【図９】
2004062314.tif 000011
【図１０】
2004062314.tif 000012
【図１１】
2004062314.tif 000013
【図１２】
2004062314.tif 000014
【図１３】
2004062314.tif 000015
【図１４】
2004062314.tif 000016
【図１５】
2004062314.tif 000017
【図１６】
2004062314.tif 000018
【図１７】
2004062314.tif 000019
【図１８】
2004062314.tif 000020
【図１９】
2004062314.tif 000021
【図２０】
2004062314.tif 000022
【図２１】
2004062314.tif 000023
【図２２】
2004062314.tif 000024
【図２３】
2004062314.tif 000025
【図２４】
2004062314.tif 000026
【図２５】
2004062314.tif 000027
【図２６】
2004062314.tif 000028
【図２７】
2004062314.tif 000029
【図２８】
2004062314.tif 000030
【図２９】
2004062314.tif 000031
【図３０】
2004062314.tif 000032
【図３１】
2004062314.tif 000033